(57)【特許請求の範囲】
【請求項１】
廃プラスチックを細断するシュレッダー本体を備えたシュレッダーであって、
前記シュレッダー本体の上部に設置され、投入された廃プラスチックを水平方向に押圧する第一の押圧手段、及び、
投入された廃プラスチックをシュレッダー本体に内蔵された回転カッターに向けて下方向へ押圧する第二の押圧手段
を内蔵するホッパーを備えた前記シュレッダーにおいて、
前記第一の押圧手段の上端と前記ホッパー裏面の内壁上部との間に係り止められた第一のスプリングの付勢力に逆らって押圧する力によって、前記ホッパーの正面の内壁に固着された固定プレートと前記押圧手段との間に挟持された廃プラスチックが前記固定プレートに押し付けられ、そして、
前記第二の押圧手段の上端と前記ホッパー側面の外壁上部との間に係り止められた第二のスプリングの付勢力に逆らって押圧する力によって、第二の押圧手段下にある廃プラスチックが前記回転カッターに押し付けられる
ことを特徴とする、前記シュレッダー。
【請求項２】
前記第一及び／又は第二の押圧手段が、動力伝達ワイヤーを介して結合されたペダルを踏むことにより動作することを特徴とする、請求項１に記載のシュレッダー。
【請求項３】
前記第一の押圧手段と前記第二の押圧手段とは、一の前記ペダルを踏む行為で同時に動作するように連携することを特徴とする、請求項２に記載のシュレッダー。
【請求項４】
前記回転カッターを構成するディスク刃は、回転カッターの両端及び中央付近において拡径しているか、あるいは長い爪を有する、請求項１〜３のいずれかに記載のシュレッダー。
【請求項５】
さらに、ホッパー内のシュレッダーより上方にペットボトルキャップを切断する機構を備える、請求項１〜４のいずれかに記載のシュレッダー。
【発明の詳細な説明】
【技術分野】
【０００１】
本発明は、シュレッダーに関し、より詳細にはプラスチックトレーやペットボトル等の廃プラスチックを細断して減容するシュレッダーに関する。
【背景技術】
【０００２】
現在、魚、肉、豆腐、清涼飲料水等の飲食品が、プラスチックや発泡スチロール製のトレーや容器に入って販売されている。これらは、スーパーストアや小売店で毎日購入する品物であり、使用済みのプラスチック類（以下、「廃プラスチック」ということがある）は、家庭内で、毎日、比較的大量に発生する。
【０００３】
廃プラスチックの清掃局等による収集は、通常、週１回である。したがって、１週間分の廃プラスチックが家庭内に溜まり、特に単身者用のような狭い住環境で非常に場所を取るという問題を生じる。また、廃プラスチックは軽量であるため、回収日に風が吹くと、道路に飛び散るほど散乱することがある。さらに、清掃局の集積場等でも廃プラスチックが山積した状態となる。
【０００４】
家庭や小規模事業所では、廃プラスチックをゴミだしする前に減容化することが望ましい。減容化対策として、シュレッダーの使用が考えられる。現在、プラスチックを細断するための業務又は家庭用シュレッダーとして、ＣＤやＤＶＤのような情報記録媒体を細断するものが数多く市販されている。これらのシュレッダーは、薄いＣＤ等を手動又は電動で細断することができるが、トレーやペットボトルのような嵩張ったものの細断には向かない。
【０００５】
厚みのある廃材を細断するシュレッダーとして、特許文献１や２に空き缶シュレッダーが開示される。しかし、これらのシュレッダーでトレーやペットボトルのような軽量のものを細断しようとすると、浮き上がって細断が困難である。
【先行技術文献】
【特許文献】
【０００６】
【特許文献１】特開平５−１８５２９４
【特許文献２】特開平９−１３１５４６
【発明の概要】
【発明が解決しようとする課題】
【０００７】
そこで、本発明の目的は、家庭で毎日排出される軽くて嵩張るプラスチック類を簡単に細断して減容化する廃プラスチック用のシュレッダーを提供することにある。
【課題を解決するための手段】
【０００８】
本発明者は、上記課題を鋭意検討した結果、以下の発明により解決できることを見出した。すなわち、本発明は、廃プラスチックを細断するシュレッダー本体を備えたシュレッダーであって、前記シュレッダー本体の投入口の上部に設置され、投入された廃プラスチックを水平方向に押圧する第一の押圧手段、及び、投入された廃プラスチックをシュレッダー本体に内蔵された回転カッターに向けて下方向へ押圧する第二の押圧手段を内蔵するホッパーを備えたシュレッダーを提供する。
【０００９】
前記第一及び／又は第二の押圧手段は、油圧により動作させることができる。
【００１０】
前記回転カッターの刃は、回転カッターの両端及び中央付近において拡径しているか、あるいは長い爪を有することが好ましい。
【００１１】
本発明のシュレッダーは、さらに、ペットボトルのキャップを切断する機構を有することが好ましい。
【００１２】
本発明のシュレッダーは、さらに、シュレッダー本体の下部に廃プラスチックの仕分け手段を備えることが好ましい。
【発明の効果】
【００１３】
本発明のシュレッダーは、軽量で嵩張るプラスチック類を水平方向及び上方向の二方向から押圧するために、プラスチック類を確実に扁平化し、回転カッターへの噛みこみを促進する。本発明のシュレッダーは、構造も簡単であり、安価に製作可能である。
【００１４】
本発明のシュレッダーは、家庭内で広い場所を占めていたプラスチックトレーやペットボトル等の廃プラスチックを細断して減容化できる。シュレッダーをキッチンの片隅に置くことで、キッチンがすっきりと片付く。週１回の廃プラスチックのゴミだしが月１回で済む等、ゴミだし作業も楽になる。廃プラスチックの集積場での収容面積も低減できる。廃プラスチックは、集荷場で大規模な工業用シュレッダーを用いて細断され、選別後、再資源化される。本発明のシュレッダーが各家庭に普及すれば、集荷場での細断の手間も大いに省ける。
【００１５】
第一及び／又は第二の押圧手段を油圧で動作させるシュレッダーによれば、ペットボトルのような比較的堅い廃プラスチックも容易に細断できる。
【００１６】
さらに、仕分け手段が付加されたシュレッダーによれば、一台で、廃プラスチックとそれ以外の減容化が仕分けられた状態で可能になり、シュレッダーの利用度と利便性がさらに向上する。
【図面の簡単な説明】
【００１７】
【図１Ａ】本発明の一実施態様に従うシュレッダーの正面を切り欠いて内部を露出させた斜視図である。
【図１Ｂ】図１ＡのＡＡ矢視平面図である。
【図２】第一の押圧手段を油圧で動作させる態様の概念図である。
【図３】キャップ切断機構を付加した別の実施態様のホッパーの平面図である。
【図４】キャップ切断機構のさらに別の実施態様の平面図である。
【図５Ａ】図１のシュレッダーにおいて、第一及び第二の押圧手段の移動前の様式を示す斜視図である。
【図５Ｂ】図１のシュレッダーにおいて、第一及び第二の押圧手段の移動後の様式を示す斜視図である。
【発明を実施するための形態】
【００１８】
以下に、本発明のシュレッダーの一実施態様を添付の図面を用いて説明する。図１に示す本発明のシュレッダー１は、シュレッダー本体１００上に廃プラスチックＡを投入するホッパー２００が設置される。このホッパーには、図５Ｂに示す第一の押圧手段２１０及び第二の押圧手段２２０が内蔵される。
【００１９】
第一の押圧手段２１０は、投入された廃プラスチックを水平方向に押圧するためにあり、固定プレート２１１と第一の押圧プレート２１２とを備える。両板間に廃プラスチックが押圧されることで、廃プラスチックは扁平にされながら、回転カッター１１０への巻き込みが促進される。
【００２０】
固定プレート２１１は、ホッパー正面２０１の内壁に固着されている。一方、第一の押圧プレート２１２は、その下端を１対の回転カッター１１０近傍に位置させ、そして、上端を回転カッター上方に廃プラスチックを収容可能な隙間をもって位置するように斜状に配設する。押圧プレートは、それと固定プレートとの間に挟持された廃プラスチックを固定プレート側へ押し付ける方向へ傾動可能である。
【００２１】
なお、廃プラスチックＡの投入前は第一の押圧プレートの上端を開放するように、図１では、第一の押圧プレートの上端に、一端を固定したスプリング２１３の他端をホッパー裏面２０２の内壁上部に係り止める。このスプリングが第一の押圧プレートと固定プレートとの間隙を開く方向へ付勢する。
【００２２】
押圧プレートを固定プレートの方向へスプリングの付勢力に逆らって押圧する力によって、固定プレートと第一の押圧プレートとの間に挟持された廃プラスチックは固定プレートに押し付けられる。押圧する原動力は、限定されない。図１では、第一の押圧プレート２１２の両側のそれぞれに、フックをホッパーの両側面２０３に空けた、フックが遊嵌できる円弧孔を通して固着する。各フックに、シュレッダー外部に設置したペダル２１４との間を、動力伝達ワイヤー２１５で連結する（図を見やすくするため、反対側のフックに連結したワイヤーを省略）。ペダルを踏むと、ペダルの踏力がワイヤーを介して第一の押圧プレートに固着したフックに伝えられ、第一の押圧プレートが固定プレート側へ引っ張られるように傾動する。
【００２３】
上記押圧手段は、プラスチックトレーのような比較的軟らかい廃プラスチックの扁平化に向いている。ペットボトルのような堅い廃プラスチックの扁平化には、より強い押圧力が必要となる。その場合、第一の押圧手段の原動力を油圧に変更するとよい。図２に、第一の押圧プレート２１２に、ペダル２１４、動力伝達ワイヤー２１５、ロッド２１６、マスターシリンダー２１８、ホース２１９、ピストン２１７の順に接合した概念図を示す。ペダルを踏むと、ペダルの踏力が動力伝達ワイヤーを介して伝わり、マスターシリンダーを伸長し、さらにホースを介してピストンに伝わる。ピストンに連結されたロッドが、第一の押圧プレートを固定プレート側へ傾動させる。これにより廃プラスチックＡは、板状に押圧されて、回転カッター１１０に進入する。
【００２４】
廃プラスチックの押圧が第一の押圧手段による水平方向のみからであると、軽量の廃プラスチックが浮き上がりやすく、押圧がうまくゆかない。これを防止するために、ホッパーは、投入された廃プラスチックを回転カッターに向けて下方向へ押圧する第二の押圧手段を備える。
【００２５】
第二の押圧手段は、ホッパー内を下方に摺動可能な第二の押圧プレート２２１を含む。この押圧プレートは、プレートと回転カッターとの間に挟持された廃プラスチックを回転カッター側に押し付けるように降下可能である。第二の押圧プレートの横幅（図１ＢのＸ）は、ホッパーの横幅（図１ＢのＸ’）とほぼ同じである。一方、第一の押圧プレートが固定プレート側に傾動して固定プレートと第一の押圧プレートとの離隔が狭まる間、その離隔の中を第二の押圧プレートが降下できるように、第二の押圧プレートの縦幅（図１ＢのＹ）は、ホッパーの奥行き（図１ＢのＹ’）よりも充分に短い。こうして、廃プラスチックがホッパー内に収容された後、第一と第二の押圧プレートが協同して押圧することで、廃プラスチックの逃げ場を封じる。
【００２６】
なお、廃プラスチックＡの投入前は、第二の押圧プレートを上方に待機するように、図１では、第二の押圧プレート２２１に一端を固定してスプリング２２３の他端をホッパー側面２０３の外壁上部に係り止めて、第二の押圧プレートを上方へ付勢している。
【００２７】
第二の押圧プレートは、スプリングの付勢力に逆らって押圧する力によって、第二の押圧プレート下にある廃プラスチックＡを回転カッターに押し付ける。この押圧する原動力は、限定されない。図１では、この押圧プレートを摺動させるために、第二の押圧プレート２２１の側面に、ホッパーの両側面２０３に空けた長孔２２２に通して、二個のフックがそれぞれ固着されている。各フックに、シュレッダー外部に設置したペダル２２４との間を動力伝達ワイヤー２２５が巻回されている（図を見やすくするため、反対側のフックに連結するワイヤーを省略）。ペダルを踏むと、ペダルの踏力が動力伝達ワイヤーを介して第二の押圧プレートに固着したフックに伝えられ、第二の押圧プレートが回転カッター側へ引っ張られるように降下する。
【００２８】
第二の押圧手段は、第一の押圧手段と同じように、油圧で動作するようにしてもよい。その際の構成は、上記と同様である。また、第一の押圧手段と第二の押圧手段とは、一のペダルを踏む行為で同時に動作するように連携してもよい。
【００２９】
本発明のシュレッダー１は、細断片を回収する細断物の収容箱４００の上部に回転カッター１１０を内蔵したシュレッダー本体を有する従来のシュレッダーに、本発明の特徴である第一及び第二の押圧手段を内蔵するホッパーが付加されたものである。したがって、シュレッダー本体の基本的構成は、従来公知のものを同様である。以下に、シュレッダー本体の好ましい態様を説明する。
【００３０】
シュレッダー本体１００は、モータ（図示せず）によって駆動する二組の回転カッター１１０を備える。二組の回転カッターは、各支軸に複数毎のディスク刃が間隔２〜４ｍｍを開けて、互いに重なり合うように設置される。ディスク刃は、その間に投入された廃プラスチックを巻き込むように回転する。なお、回転カッター内に噛み込んだプラスチックの破片を容易に取り除くために、二組の回転カッターは上記と逆回転することも可能である。
【００３１】
回転カッターは、両端及び中央付近に位置するディスク刃の形状を若干大きくするか、又は長い爪を有するとよい。このようにすると、廃プラスチックの巻き込みが、より確実になる。
【００３２】
ペットボトルのキャップは、ペットボトル本体とは異なる堅い材質でできている。このようなキャップは、シュレッダーに噛み込まれ難く、あるいは回転カッターへの過負荷となる。そこで、図３では、ホッパー内にペットボトルのキャップ切断機構３００を設けて、切断したキャップを、回転カッターを通さずに別の収容箱へ回収する。キャップ切断機構は、ホッパーの側面２０３の壁近傍に、刃を上に向けた二枚のカッター３１０が、ハの字状かつ、ペットボトルの首軸と直交するように配置される。第二の押圧手段がペットボトルを下方向へ押圧する時に、カッターによってペットボトルの首がキャップとともに切り落とされる。
【００３３】
図４には、キャップ切断機構を、ホッパー側面２０３の壁近傍に、刃を上に向けて円形に配設された回転鋸刃３２０で実現している。この場合、回転鋸刃は、図示しないモータで駆動される。第二の押圧手段がペットボトルを下方向へ押圧する時に、回転鋸刃によってペットボトルの首がキャップとともに切り落とされる。切り落とされたキャップは、回転カッターを通らずに別の収容箱へ回収される。
【００３４】
回転カッターによって細断された廃プラスチックは、回転カッターの下方に設置された細断物の収容箱４００の中に落下する。
【００３５】
本発明のシュレッダーは、廃プラスチックの詳細な分別や、廃プラスチック細断以外に紙等の通常の細断も可能とするために、回転カッター直下に、落下する細断片を仕切られた細断片収容箱のいずれかの方向へ仕分ける手段４１０を設けることが好ましい。仕分け手段は、図１では、二室に仕切られた細断片収容箱の中央の仕切り上に、上端が傾動可能に固定された仕切り板４１１である。
【００３６】
上記仕切り板の傾動手段は、特に制限されない。図１では、シュレッダーの正面から仕切り板４１１の下端に取り付けられた回転レバー４１２を手動で左右方向に回転することにより、仕切り板の下端を支点として仕切り板の上端を左右方向に傾斜させ、左右いずれかの収容箱へ細断片を導く。
【００３７】
手動の回転レバーに代えて、図示しないプラスチックセンサーがプラスチック類とそれ以外を検出することにより、仕切り板の傾斜方向を自動で変更してもよい。これにより、プラスチック類とそれ以外を細断片収容箱のいずれか片側に仕分けることが自動化される。
【００３８】
本発明のシュレッダーの使用状態を、図５Ａ及び５Ｂを用いて説明する、図５Ａにおいて、ホッパー２００へ廃プラスチックＡを投入する。次いで、図５Ｂのように蓋を閉めた後、シュレッダーの電源を入れる。ペダル２２４を踏むと、第二の押圧手段２２０である第二の押圧プレート２２１が回転カッター１１０に向かって降下する。廃プラスチックが即席面カップのようにかなり厚い場合は、ペダル２１４を踏んで、第一の押圧手段２１０である第一の押圧プレート２１２を固定プレート２１１に向かって傾動させる。これらの動作によって、廃プラスチックＡは、浮き上がることなく扁平に押圧されながら、回転カッター１１０に送り込まれる。その後、回転カッターで短冊状に細断されたた破片は、仕切り板４１１に導かれ、一方の収容箱４００内に回収される。
【符号の説明】
【００３９】
１        シュレッダー
１００    シュレッダー本体
１１０    回転カッター
２００    ホッパー（シュレッダー投入口）
２０１    ホッパー正面
２０２    ホッパー裏面
２０３    ホッパー側面
２１０    第一の押圧手段
２１１    固定プレート
２１２    第一の押圧プレート
２１３    スプリング
２１４    ペダル
２１５    動力伝達ワイヤー
２１６    ロッド
２１７    ピストン
２１８    マスターシリンダー
２１９    ホース
２２０    第二の押圧手段
２２１    第二の押圧プレート
２２２    長孔
２２３    スプリング
２２４    ペダル
２２５    動力伝達ワイヤー
３００    ペットボトルキャップ切断機構
３１０    カッター
３２０    回転鋸刃
４００    細断片収容箱
４１０    仕分け手段
４１１    仕切り板
４１２    回転レバー
Ａ       廃プラスチック
【図１Ａ】
0005777312.tif 000002
【図１Ｂ】
0005777312.tif 000003
【図２】
0005777312.tif 000004
【図３】
0005777312.tif 000005
【図４】
0005777312.tif 000006
【図５Ａ】
0005777312.tif 000007
【図５Ｂ】
0005777312.tif 000008